(57)【特許請求の範囲】
【請求項１】
洗い場側を除く外周に立壁を有し該立壁の内側に浴槽が設置される浴槽防水パンの、前記立壁の洗い場側端にエプロンを接続する接続構造であって、
前記エプロンの裏面に前記浴槽側へ突出するフランジを設け、該フランジと、前記浴槽防水パンの立壁の洗い場側端を、該立壁の洗い場側端の縦方向全域に亘っているパッキンを介在させて重ね合わせ、該重ね合わせ部分を前記パッキンが前記フランジに押圧されるように金具で挟み込んで接続することを特徴とする浴槽防水パンとエプロンの接続構造。
【発明の詳細な説明】
【技術分野】
【０００１】
本発明は、外周に立壁を有する浴槽防水パンと、エプロンとを接続する接続構造に関するものである。
【背景技術】
【０００２】
従来、特許文献１に開示されているように、浴槽を設置する浴槽パンと、洗い場を形成する洗い場パンとの間に、エプロンが立設され、このエプロンの横方向の側端が浴槽パンおよび洗い場パンの外周に建て付けられた壁パネルに取り付けられたものとなっている。
【特許文献１】特開平２−１２８７２４号公報
【発明の開示】
【発明が解決しようとする課題】
【０００３】
上記特許文献１に開示されているエプロンは、その横方向の側端が壁パネルに取り付けられているものであるため、エプロンの側端と壁パネル間の隙間から水が入り込みやすいという問題点があった。
【課題を解決するための手段】
【０００４】
本発明は、止水性を確保して浴槽防水パンとエプロンを接続できる接続構造を提供することを目的の１つとし、本願発明は、この目的の少なくとも一部を達成するために、以下の手段をとった。
本発明は、洗い場側を除く外周に立壁を有し該立壁の内側に浴槽が設置される浴槽防水パンの、前記立壁の洗い場側端にエプロンを接続する接続構造であって、
前記エプロンの裏面に前記浴槽側へ突出するフランジを設け、該フランジと、前記浴槽防水パンの立壁の洗い場側端を、該立壁の洗い場側端の縦方向全域に亘っているパッキンを介在させて重ね合わせ、該重ね合わせ部分を前記パッキンが前記フランジに押圧されるように金具で挟み込んで接続することを要旨とする。
【発明の効果】
【０００５】
本発明では、エプロンの裏面にフランジを突出状に設けて、このフランジに浴槽防水パンの立壁の洗い場側端をパッキンを介在させて重ね合わせ、重ね合わせ部分を金具で挟み込むため、エプロンを浴槽防水パンに隙間なく接続することができ、確実に止水性が確保されて、洗い場側から浴槽防水パン側への水の侵入を防ぐことができるとともに虫の侵入を確実に防ぐことができるものとなる。
【発明を実施するための最良の形態】
【０００６】
次に、本発明を実施するための最良の形態を実施例を用いて説明する。
図１は、浴室ユニットの側面概略構成図であり、また図２は、浴室ユニットを構成する洗い場パンと浴槽防水パンの平面構成図である。
浴室ユニット１は、洗い場２ａを形成する洗い場パン２と、浴槽４を設置することのできる浴槽防水パン３と、浴槽防水パン３と洗い場パン２間に立設されるエプロン５で構成されており、浴槽防水パン３には、洗い場２ａ側を除く外周に立壁３ａ，３ｂ，３ｃが浴槽４を囲むように一体形成されている。
【０００７】
この浴槽防水パン３の立壁３ｂ，３ｃの洗い場パン２側の端部と、エプロン５の長手方向端縁とが接続部Ｐ，Ｐで接続されている。この接続部Ｐの構造を拡大して図３の平面拡大分解構成図で示す。
なお、図３は、浴槽防水パンの立壁３ｂとエプロン５の一方側の端縁を示しており、立壁３ｃとエプロン５の他側端縁の接続構造も同様な構造となっている。
【０００８】
接続部Ｐを説明すると、浴槽防水パンの立壁３ｂの洗い場２ａ側端部には、内側へ傾斜する傾斜段部３１が一体形成され、傾斜段部３１の先端で洗い場２ａ側へ突出して洗い場側端片３２が一体形成されており、この洗い場側端片３２の内側に、予め縦方向全域に亘り止水パッキン７を貼着等で取り付けておく。
【０００９】
一方、エプロン５の長手方向端縁には、浴槽４側へ突出して本体部５ａの端部裏側にフランジ５ｂが一体形成され、フランジ５ｂに対し本体部５ａ端部から洗い場２ａ側へ突出して張出片５ｃが一体形成されており、張出片５ｃの先端で外側へ折り曲げ状に突出して突出片５ｄが一体形成され、突出片５ｄの先端には、裏側が開放された断面コの字状のコの字状片５ｅが一体形成されている。
【００１０】
このエプロン５のフランジ５ｂには、その内側に蝶ネジ６ａが配置され、蝶ネジ６ａからフランジ５ｂを貫通して外側へ向かってネジ部６ｂが突出されており、このネジ部６ｂの外端側に、エプロンガイド金具６を構成する移動片６ｃに形成されている雌ネジ孔が螺合されている。
移動片６ｃの浴槽防水パン３側には、外方向へ折り曲げて折曲片６ｄが一体形成され、折曲片６ｄの外端から浴槽防水パン３側へ向かって突出する挟圧片６ｅが一体形成されている。
【００１１】
このような構造において、浴槽防水パンの立壁３ｂの先端の洗い場側端片３２を、止水パッキン７を介在させてエプロン５のフランジ５ｂの外側に重ね合わせ、この状態で蝶ネジ６ａを内側から締め付けてゆくと、ネジ部６ｂが回転されることにより、螺合されているエプロンガイド金具６の移動片６ｃがフランジ５ｂ側へ移動してゆき、やがては図４に示すように、エプロンガイド金具６の挟圧片６ｅが浴槽側防水パンの洗い場側端片３２の外側に当接し、さらに蝶ネジ６ａを締め付けることで、この挟圧片６ｅとエプロン５のフランジ５ｂ間に、洗い場防水パンの洗い場側端片３２と止水パッキン７を強固に挟み付けることができ、止水パッキン７はフランジ５ｂに押圧されて確実な止水性能が確保されるものである。
【００１２】
なお、接続作業は、内側より蝶ネジ６ａを手で締め付けてゆけば、エプロンガイド金具６のフランジ５ｂ側への移動に伴って、エプロン５のフランジ５ｂと浴槽防水パンの洗い場側端片３２が自然に重ね合わされてゆき、やがては挟圧片６ｅで強固に挟み付けられるものであり、接続作業は内側から蝶ネジ６ａを回すだけで良く、接続作業を簡単に行うことができるものとなる。
【００１３】
なお、止水パッキン７は上下方向に全域に設けられているため、接続部Ｐの全域に亘り止水性が確保されることとなり、洗い場２ａ側から浴槽防水パン３側に水が侵入することが確実に防がれるものとなり、また、外側から虫が侵入することも確実に防がれるものとなる。
即ち、従来においては、エプロン５の側端縁は、建て付けられた壁パネルに接続されるものであるため、壁パネルとエプロン５の側端縁間に隙間が生じていたが、本例では、エプロン５の側端縁に隙間が生ずることはなく、確実な止水性が確保されるものである。
【図面の簡単な説明】
【００１４】
【図１】浴室ユニットの側面概略構成図である。
【図２】浴室ユニットを構成する洗い場パンと浴槽防水パンの平面構成図である。
【図３】エプロンの一端側と浴槽防水パンの立壁の先端部の分解平面構成図である。
【図４】図３の部材が蝶ネジを締め付けることで接続された状態の平面拡大構成図である。
【符号の説明】
【００１５】
１  浴槽ユニット
２  洗い場パン
２ａ  洗い場
３  浴槽防水パン
３ａ，３ｂ，３ｃ  立壁
４  浴槽
５  エプロン
５ａ  本体部
５ｂ  フランジ
５ｃ  張出片
５ｅ  コの字状片
６  エプロンガイド金具
６ａ  蝶ネジ
６ｂ  ネジ部
６ｃ  移動片
６ｄ  折曲片
６ｅ  挟圧片
７  止水パッキン
３２  洗い場側端片
【図１】
0005147350.tif 000002
【図２】
0005147350.tif 000003
【図３】
0005147350.tif 000004
【図４】
0005147350.tif 000005